(57)【要約】 【課題】  時計ムーブメントと、この時計ムーブメントにより自動的に解放されるリピータ用時鐘打ち機構とを有する時計を提供する。【解決手段】  時鐘打ち機構１４は、クリック２６に係合する解放レバー２４を有し、前記クリック２６は、前記解放レバー２４上に回転可能に搭載され、ラチェットのツメ・ホイール２８の歯列２７とかみ合い、自動解放の間、前記時計ムーブメント１２の日の裏装置１８により駆動される解放カム１６により、前記解放レバー２４は、ツメ・ホイール２８の方向に回転し、前記クリック２６は、ツメ・ホイール２８を回転駆動し、前記時鐘打ち機構１４は、巻き上げカム３４を有し、前記巻き上げカム３４は、解放レバー２４の肩部３６と共動し、解放レバー２４の巻き上げを復帰バネ３８に抗して制御し、前記解放レバー２４は、ロック装置４２により巻き上げ位置に保持され、前記解放カム１６は、ロック装置４２をロック解除することにより、時鐘打ち機構を解放する。【選択図】  図２
2007163490.tif 000002
【特許請求の範囲】
【請求項１】
時計ムーブメント（１２）と、前記時計ムーブメント（１２）により自動的に解放されるリピータ用時鐘打ち機構（１４）とを有する時計（１０）において、
前記時鐘打ち機構（１４）は、クリック（２６）に係合する解放レバー（２４）を有し、
前記クリック（２６）は、前記解放レバー（２４）上に回転可能に搭載され、ラチェットのツメ・ホイール（２８）の歯列（２７）とかみ合い、
自動解放の間、前記時計ムーブメント（１２）の日の裏装置（１８）により駆動される解放カム（１６）により、前記解放レバー（２４）は、ツメ・ホイール（２８）の方向に回転し、前記クリック（２６）は、ツメ・ホイール（２８）を回転駆動し、
前記時鐘打ち機構（１４）は、巻き上げカム（３４）を有し、
前記巻き上げカム（３４）は、解放レバー（２４）の肩部（３６）と共動し、解放レバー（２４）の巻き上げを復帰バネ（３８）に抗して制御し、
前記解放レバー（２４）は、ロック装置（４２）により巻き上げ位置に保持され、
前記解放カム（１６）は、ロック装置（４２）をロック解除することにより、時鐘打ち機構を解放する
ことを特徴とする時計。
【請求項２】
巻き上げカム（３４）は、最小半径部分と最大半径部分との間に、段差（４６）を有する、半径が増大する回転渦巻き形状を有する
ことを特徴とする請求項１記載の時計。
【請求項３】
巻き上げ位置において、前記解放レバー（２４）の肩部（３６）は、巻き上げカム（３４）の最大半径部分に当たり、
前記ロック装置（４２）は、前記巻き上げカム（３４）の回転を、ロックする
ことを特徴とする請求項２記載の時計。
【請求項４】
前記巻き上げカム（３４）は、ロック用アーム（６０）に対し回転するよう取り付けられ、
前記ロック装置（４２）は、ロック用フック（６２）を有し、
前記ロック用フック（６２）は、ロック用アーム（６０）と共動して、巻き上げカム（３４）の回転を制限する
ことを特徴とする請求項３記載の時計。
【請求項５】
前記ロック装置（４２）は、解放レバー（７８）を有し、
前記解放レバー（７８）は、復帰バネ（８０）に抗して、解放カム（１６）により巻き上げられ、
前記解放レバー（７８）は、ロック用フック（６２）を、解放レバー（７８）が解放カム（１６）により解放された時に、ロック解除の方向に回転させる
ことを特徴とする請求項４記載の時計。
【請求項６】
前記時鐘打ち機構の自動解放を無効にするよう動作する消音機構（９４）を具備し、
前記消音機構（９４）は、ロック・フィンガ（９８）を有し、
前記ロック・フィンガ（９８）は、その消音位置において、解放レバー（７８）の振動を制御し、解放レバー（７８）が、ロック用フック（６２）をロック解除の方向に回転させるのを、阻止する
ことを特徴とする請求項５記載の時計。
【請求項７】
前記巻き上げアーム（３４）は、回転板（４８）に対し回転するよう固定され、
前記回転板（４８）は、時鐘打ち機構が解放された時に、時鐘打ち輪列（２１）により回転駆動される
ことを特徴とする請求項２−６のいずれかに記載の時計。
【請求項８】
前記回転板（４８）は、収納可能なフック装置（５０）と係合し、
前記フック装置（５０）は、収納位置において、回転板（４８）を回転可能に中間歯車（５２）に係合し、
前記中間車（５２）は、時鐘打ち機構が解放された時に、時鐘打ち輪列（２１）により回転駆動され、
前記フック装置（５０）は、バネ（６４）によりフック位置に引かれ、
前記フック装置（５０）は、ロック装置（４２）により、収納位置で動作する
ことを特徴とする請求項７記載の時計。
【請求項９】
前記フック装置（５０）は、回転板（４８）上に回転可能に搭載されたレバー（５４）により形成され、
前記レバー（５４）は、駆動フック（５６）とアーム（６０）とを有し、
前記駆動フック（５６）は、中間車（５２）に回転するよう固定されるラチェット・ホイール（５８）に係止され、
前記アーム（６０）は、ロック装置（４２）と共動するロック用アーム（６０）を形成する
ことを特徴とする請求項８記載の時計。
【請求項１０】
前記回転板（４８）は、板バネ（６６）により解放方向に回転するよう駆動され、時鐘打ち機構が解放された時に、巻き上げカム（３４）の回転運動を開始させる
ことを特徴とする請求項７−９のいずれかに記載の時計。
【請求項１１】
前記回転板（４８）は、ノッチ（７４）が形成された渦巻き形状をしており、
前記板バネ（６６）は、弾性アームにより形成され、
前記弾性アームである板バネ（６６）は、自由端（７０）に、前記ノッチ（７４）に当たるローラ（７２）を有する
ことを特徴とする請求項１０記載の時計。
【請求項１２】
前記解放レバー（２４）の肩部（３６）は、巻き上げアーム（４０）の自由端に配置され、
前記巻き上げアーム（４０）は、前記解放レバー（２４）の主体（３０）から延びる
ことを特徴とする請求項１−１１のいずれかに記載の時計。
【請求項１３】
前記時鐘打ち機構（１４）は、手動制御部材（２２）を有し、
前記手動制御部材（２２）は、ロック装置（４２）と共動して、時鐘打ち機構を手動で解放する
ことを特徴とする請求項１−１２のいずれかに記載の時計。
【請求項１４】
前記解放レバー（２４）は、クリック（２６）を具備するトグルレバー（１０４）に係合し、
前記トグルレバー（１０４）は、自動解放の間、解放レバー（２４）に回転可能に接続され、
手動解放が、トグルレバー（１０４）を解放レバー（２４）に対し、手動制御部材（２２）を駆動することにより、回転することにより引き起こされる
ことを特徴とする請求項１−１２のいずれかに記載の時計。
【請求項１５】
前記トグルレバー（１０４）の回転軸（Ａ８）は、前記解放レバー（２４）の自由端で、解放レバー（２４）の回転軸（Ａ２）の反対側に配置される
ことを特徴とする請求項１４に記載の時計。
【請求項１６】
前記トグルレバー（１０４）は、前記解放レバー（２４）を、解放レバー（２４）の回転軸（Ａ２）の反対側に、伸ばす
ことを特徴とする請求項１４または１５のいずれかに記載の時計。
【請求項１７】
前記クリック（２６）は、つめフィンガ（２５）と駆動アーム（１１６）とを有し、
前記つめフィンガ（２５）の自由端は、ツメ・ホイール（２８）の歯列（２７）とかみ合い、
前記駆動アーム（１１６）は、手動制御部材（２２）と共動し、
手動制御部材（２２）は、前記駆動アーム（１１６）に当たり、前記トグルレバー（１０４）を、ツメ・ホイール（２８）の方向に、回転させる
ことを特徴とする請求項１４−１６のいずれかに記載の時計。
【請求項１８】
前記トグルレバー（１０４）は、停止部材（１１２）を有し、
前記停止部材（１１２）は、解放レバー（２４）の軸方向表面（１１４）に当たり、前記トグルレバー（１０４）を、解放レバー（２４）に対し回転した時に、接続する
ことを特徴とする請求項１４−１７のいずれかに記載の時計。
【発明の詳細な説明】
【技術分野】
【０００１】
本発明は、時鐘打ち機構を有する時計に関する。
【０００２】
本発明は、特に、時計ムーブメントと、前記時計ムーブメントにより自動的に解放されるリピータ用時鐘打ち機構とを有する時計に関し、前記時鐘打ち機構は、クリックに係合する解放レバーを有し、前記クリックは、前記解放レバー上に回転可能に搭載され、ラチェットのツメ・ホイールの歯列とかみ合い、自動解放の間、前記時計ムーブメントの日の裏装置により駆動される解放カムにより、前記解放レバーは、ツメ・ホイールの方向に回転し、前記クリックは、ツメ・ホイールを回転駆動する。
【背景技術】
【０００３】
このような時計、特に複雑機能を具備する時計は、例えばリピータ（二度打ち）時計あるいはグランド・ストライク（時鐘打ち）時計として、長い間公知である。複雑時計の分野における従来技術を理解するには、非特許文献１を参照されたい。非特許文献１は、特に時鐘打ち機構を具備した時計に関する数章（９７−２０５頁）を含む。
【非特許文献１】Francois Lecoultre entitled “Les montres compliquees” (ISBN 2-88175-000-1)
【非特許文献２】Francois Lecoultre entitled “Les montres compliquees” (ISBN 2-88175-1)
【０００４】
時鐘打ち機構を有する時計の中でも、グランド・ストライク時計は、時鐘打ち自動解放モードを有する。かくして、日の裏装置は、４本のアームを具備する星型の解放カムを回転駆動する。この解放カムは、解放レバーと共動するように具備され、これにより、解放レバーを巻き上げそれを引き続き所定の時間に解放する。これによりクリックを介して時鐘打ち機構を解放する。
【０００５】
この種の機構の１つの欠点は、解放レバーを巻き上げるのに用いられるエネルギーは、解放レバーを巻き上げる解放カムからの力であるために、時計ムーブメントから直接取り出されることである。従って、時計ムーブメントの部材を駆動するのに利用できるエネルギーが小さくなってしまうことである。さらにまた、時鐘打ち機構により、時計ムーブメントにかかる機械的応力は、解放カムを介して時計ムーブメントに悪影響を与える、即ち、その精度と寿命に悪影響を与える。
【発明の開示】
【発明が解決しようとする課題】
【０００６】
本発明の目的は、上記の欠点を簡単且つ信頼高い方法で解決することである。
【課題を解決するための手段】
【０００７】
それ故に、本発明は、上記の種類の時計において、前記時鐘打ち機構は、巻き上げカムを有し、前記巻き上げカムは、解放レバーの肩部と共動し、解放レバーの巻き上げを復帰バネに抗して制御し、前記解放レバーは、ロック装置により巻き上げ位置に保持され、前記解放カムは、ロック装置をロック解除することにより、時鐘打ち機構を解放する。
【０００８】
本発明の時計によれば、解放カムは解放レバーの巻き上げ力を使わない。この解放カムは、時鐘打ち機構を解放する前に、予め巻かれており、その結果、解放カムは、時鐘打ち機構を解放するために、ロック装置に作用するだけである。
【０００９】
巻き上げカムは、最小半径部分と最大半径部分との間に段差を有する、半径が増大する回転渦巻き形状を有する。巻き上げ位置において、前記解放レバーの肩部は、巻き上げカムの最大半径部分に当たり、前記ロック装置は、前記巻き上げカムの回転をロックする。前記巻き上げカムは、ロック用アームに対し回転するよう取り付けられ、前記ロック装置は、ロック用フックを有し、前記ロック用フックは、ロック用アームと共動して、巻き上げカムの回転を制限する。かくして、巻き上げカムは、解放レバーを巻き上げるために、１回転駆動されるだけである。ロッキング・フックは、時鐘打ち機構を解放するために、ロック解除の位置に向かって駆動されるだけである。かくして、本発明の時鐘打ち機構は、従来の機構と共動する既存の部品を含む時計についても容易に実現できる機構で、解放される。
【００１０】
好ましくは、前記ロック装置は、解放レバーを有し、前記解放レバーは、復帰バネに抗して、解放カムにより巻き上げられ、前記解放レバーは、ロック用フックを、解放レバーが解放カムにより解放された時に、ロック解除の方向に回転させる。この特徴により、ロック装置の部品の間の同軸性と寸法のばらつきの欠点を補い、信頼性の高い解放機構を実現する。
【００１１】
本発明の別の特徴によれば、前記時鐘打ち機構の自動解放を無効にするよう動作する消音機構を具備する。前記消音機構は、ロック・フィンガを有し、前記ロック・フィンガは、その消音位置において、解放レバーの振動を制御し、解放レバーが、ロック用フックをロック解除の方向に回転させるのを、阻止する。本発明の時計のこの特徴により、消音機構を、時鐘打ち機構の部品あるいは時計ムーブメントの部品に損傷を与えることなく、いつでも駆動することができる。
【００１２】
前記巻き上げアームは、回転板に対し回転するよう固定され、前記回転板は、時鐘打ち機構が解放された時に、時鐘打ち輪列により回転駆動される。前記回転板は、収納可能なフック装置と係合し、前記フック装置は、収納位置において、回転板を回転可能に中間歯車に係合し、前記中間車は、時鐘打ち機構が解放された時に、時鐘打ち輪列により回転駆動され、前記フック装置は、バネによりフック位置に引かれ、前記フック装置は、ロック装置により、収納位置で動作する。前記フック装置は、回転板上に回転可能に搭載されたレバーにより形成され、前記レバーは、駆動フックとアームとを有し、前記駆動フックは、中間車に回転するよう固定されるラチェット・ホイールに係止され、前記アームは、ロック装置と共動するロック用アームを形成する。これらの特徴により、時鐘打ち動作が解放レバーを巻き上げる。このような巻き上げに必要な力は、時鐘打ち機構の香箱スプリングの力から得られ、これが、時鐘打ち機構を解放する。
【００１３】
好ましくは、前記回転板は、板バネにより解放方向に回転するよう駆動され、時鐘打ち機構が解放された時に、巻き上げカムの回転運動を開始させる。前記回転板は、ノッチが形成された渦巻き形状をしており、前記板バネは、弾性アームにより形成され、前記弾性アームである板バネは、自由端に、前記ノッチに当たるローラを有する。これらの特徴により、解放カムがロック装置のロックを解除すると、時鐘打ち機構の瞬時解放が行われる。
【００１４】
本発明の好ましい特徴によると、前記時鐘打ち機構は、手動制御部材を有し、前記手動制御部材は、ロック装置と共動して、時鐘打ち機構を手動で解放する。かくして、手動解放用のつめ付き車を有するクリックを更に具備する必要はない。本発明の時計は、従来の時計よりも使用する部品が少ない。その理由は、時鐘打ち機構の部品の大部分は、手動解放と自動解放の両方に共通するからである。
【００１５】
本発明の変形例によると、前記解放レバーは、クリックを具備するトグルレバーに係合する。前記トグルレバーは、自動解放の間、解放レバーに回転可能に接続され、手動解放が、トグルレバーを解放レバーに対し、手動制御部材を駆動することにより、回転することにより引き起こされる。この変形例は、手動解放と自動解放の両方にクリックを１個を用いる。
【実施例】
【００１６】
図１は、本発明により製造された時計１０をフローチャート形式で示す図である。時計１０は、機械的な時計ムーブメント１２とリピータ用（二度打ち）の時鐘打ち機構１４とを有する時計である。この時計ムーブメント１２により、時計１０は、指針により現在の時刻を表示し、リピータ用の時鐘打ち機構１４が、現在の時刻を、ハンマーでゴングを打って、再度表示する。
【００１７】
従来公知のように、時計１０は、少なくとも１枚の地板（図示せず）を有するケース（図示せず）を含む。この地板上に、時計ムーブメント１２と時鐘打ち機構１４が搭載される。
【００１８】
本発明の一実施例によれば、本発明の時計１０のリピータ用の時鐘打ち機構１４は、グランド・ストライク型である。すなわち、リピータ時計は、１時間単位と１５分単位を、自動解放Ａあるいは手動制御Ｍによる要求により、時鐘打ちする。自動解放Ａは、解放カム１６の手段により得られる。この解放カム１６は、時計ムーブメント１２の日の裏装置１８により回転駆動され、解放部材２０を機械的に駆動して、時鐘打ち機構１４に係合した時鐘打ち輪列２１を解放する。要求による手動解放は、手動制御Ｍによる手動制御部材２２の手段により得られ、これで、解放部材２０を機械的に駆動する。
【００１９】
図２以降を参照して、本発明の理解に必要な時鐘打ち機構１４の構成部品を示す。図２−４は、時鐘打ち機構が解放される直前の初期状態にある時鐘打ち機構１４を示す。
【００２０】
グランド・ストライク型の時鐘打ち機構の構造と動作の完全な説明は、非特許文献２に開示されている。
【００２１】
時鐘打ち機構１４は、クリック２６を具備する解放レバー２４を有する。このクリック２６は、解放レバー２４に軸Ａ１を中心に回転可能に搭載され、つめフィンガ２５を有する（図８）。つめフィンガ２５の自由端は、ラチェット・ツメ・ホイール２８の歯列２７にかみ合う（図８）。解放レバー２４は、全体的に矩形の本体３０を有する。この本体３０は、一端で解放軸Ａ２を中心に回転可能に搭載され、解放軸Ａ２の反対側の自由端３２でクリック２６を搭載する。
【００２２】
解放レバー２４の先端が若干傾くことは、解放カム１６の回転により自動的に制御される。解放カム１６は、４本のアームを有する星形部材３３の形状をしている。これにより、１５分毎に、時鐘打ち（が解放）される。解放カム１６は、日の裏装置１８の中心ホイールを具備する軸真に、矩形の接続部分を介して、回転可能に取り付けられ、１時間に１回転する。
【００２３】
本発明によれば、時鐘打ち機構１４は、巻き上げカム３４を有する。この巻き上げカム３４は、解放レバー２４の肩部３６と共動して、解放レバー２４の巻き上げを、復帰バネ３８に抗して、制御する。復帰バネ３８は、解放レバー２４をツメ・ホイール２８の方向に付勢する、即ちツメ・ホイール２８とかみ合うクリック２６の方向に付勢する。
【００２４】
ここに開示した実施例によれば、解放レバー２４の肩部３６は、巻き上げアーム４０の自由端に配置される。この巻き上げアーム４０は、解放レバー２４の本体３０から横方向に延びる。
【００２５】
本発明の他の特徴によれば、解放レバー２４は、ロック装置４２により、その巻き上げ位置に保持される。解放カム１６は、時鐘打ち機構を、ロック装置４２の解除を解くことにより、解放する。
【００２６】
巻き上げカム３４は、巻回軸Ａ３の周囲に回転可能に搭載される。巻き上げカム３４が、時鐘打ち機構を解放する方向Ｄ（すなわち、図４の時計方向）に回転する時に、半径が増加する渦巻きの形状をしている。巻き上げカム３４の外周エッジ４４が、かくして制御表面を形成する。巻き上げカム３４が解放方向Ｄに回転した時に、この制御表面が、解放レバー２４の肩部３６と接触することにより、共動して、解放レバー２４を復帰バネ３８の復帰力に抗して、押し戻す。巻き上げカム３４の外周エッジ４４は、最小半径部分と最大半径部分の間に段差４６を有し、そこに、解放レバー２４が、解放時に落ち込む。巻き上げられた位置においては、解放レバー２４の肩部３６とロック装置４２とが、巻き上げカム３４の回転を止め（ロックす）る。
【００２７】
巻き上げカム３４は、回転板４８に回転が伝えられるよう固定される。この回転板４８は、巻き上げ軸Ａ３の周囲に、時鐘打ち機構が解放されたときに、時鐘打ち輪列２１により、回転駆動される。このために、回転板４８は、収納可能なフック装置５０と適合する。このフック装置５０は、フック位置において、回転板４８を中間車５２に対し回転するよう接続する。この中間車５２は、時鐘打ち機構が解放されるときに、時鐘打ち輪列２１により回転駆動される。
【００２８】
フック装置５０は、レバー５４により形成される。このレバー５４は、回転板４８上の軸Ａ４の周囲に回転可能に搭載される。レバー５４は、駆動フック５６とロック用アーム６０とを有する。駆動フック５６は、中間車５２の下に配置されるラチェット歯車５８に係合し、中間車５２に回転が伝えられるよう固定される。ロック用アーム６０は、ロック装置４２に含まれるロック用フック６２と共動し、巻き上げカム３４の回転を阻止し、駆動フック５６が収納位置にあるよう制御する。駆動フック５６は、そのフック（係合）位置の方向に、フック用バネ６４により引かれる。このフック用バネ６４は、回転板４８に固定される弾性アーム（板バネ）の形態を採る。
【００２９】
ロック用フック６２は、軸Ａ５の周囲に回転可能に搭載される。ロック用フック６２は、制御アーム６３を有する。この制御アーム６３は、軸Ａ５に対しフック部分の反対側に延びる。ロック用フック６２は、ロック位置の方向に回転するよう、形成され、そのロック位置にあるよう、ロック用アーム６０を復帰スプリング（図示せず）で、制止する。
【００３０】
好ましくは、回転板４８は、板バネ６６により解放方向に回転するよう引きつけられ、時鐘打ち機構が解放された時に、巻き上げカム３４の回転運動を開始させる。板バネ６６は弾性アームから形成される。この弾性アーム６６は、固定端６８と自由端７０とを有する。自由端７０は、ローラ７２を有する。このローラ７２は、自由に回転し、回転板４８の外周エッジ７６に形成されたノッチ７４に当たる。好ましくは、回転板４８の外周エッジ７６は、渦巻き形状をしており、解放方向Ｄに向かって回転する時に半径が増加し、板バネ６６に当たるノッチ７４を形成する。
【００３１】
外周エッジ７６は、ローラ７２用の回転通路を形成する。ローラ７２は、人工ルビー製で、外周エッジ７６との摩擦を最小にする。
【００３２】
本発明の一実施例によれば、ロック装置４２は、解放レバー７８を有する。この解放レバー７８は、復帰バネ８０に抗して、解放カム１６により巻回され、ロック用フック６２を、解放カム１６が解放レバー７８を解放した時には、解放（ロック解除）位置に向けて回転させる。
【００３３】
解放レバー７８は、支持表面８１を有する。この支持表面８１は、ロック用フック６２の制御アーム６３に配置されたピン８３に、向かい合って配置される。その結果、解放レバー７８が解放カム１６により解放されると、支持表面８１は、ピン８３に当たり、ロック用フック６２をロック解除の位置の方向に、回転させる。
【００３４】
ここに示した実施例によれば、中間車５２は、時鐘打ち輪列２１に、２個の中間車８２、８４の手段により回転するよう接続される。この中間車８２、８４は、同軸で軸方向に重なり合って配置されている。下の中間車８２は、中間車５２とかみ合い、上の中間車８４は、時鐘打ち輪列２１の駆動車８６とかみ合う。駆動車８６は、ツメ・ホイール２８と同軸に配置される。
【００３５】
手動制御部材２２は、ロック装置４２と共動し、時鐘打ち機構を手動で解放する。このために、手動制御部材２２は、「クロワッサン」の形状をした駆動レバー８８を有する。この駆動レバー８８は、回転軸Ａ６から一方の側に延びる。駆動レバー８８は、回転軸Ａ６の他方の側では、解放フィンガ９０として伸びる（図３）。この解放フィンガ９０は、解放レバー７８の下を通り、ロック用フック６２の一方の面に配置されたスタッド９２と共動し、ロック用フック６２をロック解除の位置に制御する。
【００３６】
手動制御部材２２は、時計１０のケースの外側からアクセス可能なプッシュボタン（図示せず）により駆動される。プッシュボタンが駆動されると、駆動レバー８８は、図３では反時計方向に、図４では時計方向に、回転する。その結果、解放フィンガ９０は、スタッド９２に当たり、ロック用フック６２をスプリングに抗して、ロック解除の位置の方向に向けて、回転させる。
【００３７】
本発明の時鐘打ち機構１４の動作を、図４−７を参照して以下説明する。これらの図は、時鐘打ち機構１４の構成要素により占められる連続する位置を示している。
【００３８】
図４は、自動解放直前の初期状態の時鐘打ち機構１４を示す。
【００３９】
この初期状態において、解放カム１６の星形部材３３の内の１本のアームは、その自由端で解放レバー７８と接触している。この解放レバー７８は、復帰バネ８０に抗して巻かれている。解放レバー２４も、復帰バネ３８に抗して巻かれている。その肩部３６は、巻き上げカム３４の最大半径部分に当たっている。巻き上げカム３４は、回転板４８との回転が、ロック用アーム６０の動きを制限するロック用フック６２により、阻止されている。
【００４０】
ロック用アーム６０は、板バネ６６により、ロック用フック６２に当たるよう保持される。この板バネ６６は、回転板４８を解放方向Ｄに回転させる。
【００４１】
ロック用アーム６０の動きを制限することにより、ロック用フック６２は、フック用バネ６４に抗して、収納位置にある駆動フック５６を制御する。その結果、ラチェット車５８は、回転板４８に対し、自由に回転する。
【００４２】
図５は、自動解放直後の第１中間状態にある時鐘打ち機構１４を示す。この第１中間状態においては、解放カム１６は、時計方向に回転を継続し、初期状態（図４）に対し数度回転して、解放レバー７８を解放する。
【００４３】
解放レバー７８が解放されると、解放レバー７８は、平衡安定状態に、復帰バネ８０により、戻る。この平衡安定状態に達する前に、解放レバー７８は、平衡安定状態を通過し、その結果、解放レバー７８は、ロック用フック６２をロック解除の方向に駆動し、ピン８３を押し、ロック用アーム６０を解放する。その後、ロック用フック６２は、ロック位置に復帰バネの作用により、戻る。
【００４４】
ロック用アーム６０が解放されると、回転板４８は、解放方向Ｄに板バネ６６により回転する。巻き上げカム３４が回転板４８と一緒に回転するので、段差４６は解放方向Ｄに回転し、解放レバー２４の肩部３６が、巻き上げカム３４の最小半径の場所に落ち込む（図５）。
【００４５】
肩部３６が落ち込むことにより、解放レバー２６は、ツメ・ホイール２８の方向に回転し、その結果クリック２６は、ツメ・ホイール２８の歯に噛み合い、ツメ・ホイール２８を回転させる。ツメ・ホイール２８の回転は、その後時鐘打ち輪列２１を解放し、従来と同様に、対応する渦巻きに応じて、時間、分、１５分の情報を読みとり、ハンマーをそれに応じて、ゴングに当てる。
【００４６】
ツメ・ホイール２８は、その軸を中心に回転するので、ツメ・ホイール２８により駆動車８６の回転が引き起こされる。この駆動車８６が、この回転運動を中間車５２に、中間車８２、８４を介して伝達する。
【００４７】
それと並行して、ロック用アーム６０の解放により、レバー５４は、軸Ａ４を中心にフック用バネ６４の動きにより回転する。その結果、駆動フック５６は、ラチェット歯車５８の歯と係合する。駆動フック５６があるために、回転板４８と巻き上げカム３４は、ラチェット車５８と中間車５２に回転するよう連結される。かくして、中間車５２の回転により巻き上げカム３４が回転し、この巻き上げカム３４が肩部３６と共動して、解放レバー２４を巻き上げて時鐘打ち機構の次の解放に備える。
【００４８】
図６は、解放後の第２中間状態にある時鐘打ち機構１４を示す。この中間状態においては、解放レバー２４は、巻き上げのプロセスの途中にあり、巻き上げカム３４は、完全には１回転していない。
【００４９】
巻き上げカム３４は、解放方向Ｄにロック用アーム６０がロック用フック６２により停止される（図７に示す）まで、回転し続ける。この状態は、時鐘打ち機構１４は最終状態である。その後ロック用アーム６０は、巻回軸Ａ３に対し、最初の角度位置を再び占める。これは、解放レバー２４の巻上げ状態に対応する。その後解放レバー２４は、次の解放に備える。
【００５０】
ロック用アーム６０を停止することにより、ロック用フック６２は、レバー５４をその軸Ａ４を中心に反時計方向に回転させる。その結果、駆動フック５６は、ラチェット車５８から解放される。これにより、回転板４８は、中間車５２から切り離され、中間車５２は、時鐘打ち輪列２１とは無関係に回転し続ける。
【００５１】
回転板４８の回転中は、板バネ６６が具備するローラ７２は、回転板４８の外周エッジ７６の上を、それがノッチ７４内の最初の位置（図４）に戻るまで、回転する。
【００５２】
手動解放も上記した方法と同様に動作する。手動制御部材２２を動かすことにより、ロック用フック６２のロックが解除され、ロック用アーム６０を解放し、時鐘打ち機構を解放する。
【００５３】
本発明の時鐘打ち機構１４においては、自動解放の間、時計ムーブメント１２から取り出す力は最小である。その理由は、解放カム１６は、解放レバー７８の復帰バネ８０の力に打ち勝つだけでよいからである。解放レバー２４を巻き上げるのに必要な力は、時鐘打ち輪列２１から得られる。その理由は、駆動車８６の回転が、巻き上げカム３４を完全に１回転させるからである。従来構成においては、解放カム１６のアームが解放レバー７８に当たるところでは、約１２−１４ｇの力が必要であった。しかし本発明では、２−３ｇの力が、解放カム１６のアームである星形部材３３が解放レバー７８に当たるところで必要なだけである。
【００５４】
本発明の変形例（図示せず）によれば、解放レバー７８を省略することができる。この場合、解放カム１６が、直接ロック用フック６２の回転を制御する。
【００５５】
解放レバー７８を使用することは、回転部品を互いに配置する際、特に、解放カム１６とロック用フック６２をそれぞれの軸に対し中心に配置する際に、ある程度の「ばらつき」を補正できる利点がある。
【００５６】
本発明による時計の利点の１つは、解放レバーが予め巻き上げられているために、時鐘打ち機構の瞬時解放から得られることである。
【００５７】
好ましくは、本発明の時鐘打ち機構１４は、消音機構９４（図７）を有する。この消音機構９４は、時鐘打ち機構の自動解放を無効にする。この消音機構９４は消音レバー９６を有する。この消音レバー９６は、中立角度位置とロック角度位置（図７に点線で示す）の間で、軸Ａ７の周囲で回転する
【００５８】
消音レバー９６は、回転軸Ａ７の両側に、ロック・フィンガ９８と駆動フィンガ１００とを有する。駆動フィンガ１００は、時計１０の外側からアクセス可能な、駆動フィンガ１００に作用するプッシュボタン（図示せず）により駆動される。
【００５９】
消音レバー９６がロック位置で動作する（図７に点線で示す）と、ロック・フィンガ９８は、解放レバー７８の対応表面１０２に当たり、その振れを制限する。より具体的には、ロック・フィンガ９８は、、解放レバー７８が解放カム１６により解放された時に、解放レバー７８が平衡位置を越えて回転するのを、阻止する。その結果、ロック用フック６２のロックを解除するために、解放レバー７８がピン８３に当たるのを阻止する。
【００６０】
消音機構９４の利点の１つは、時鐘打ち機構を解放する間あるいはその直後の如何なる時でも、駆動できる点である。実際に、消音機構９４は、単に解放レバー７８の動きを、その回転を阻止することなく、制限しているので、解放レバー７８は、解放カム１６のアームである星形部材３３が通過すると、巻き上げられる。これは、消音モードへ入ることにより、一般的な動作を変更することはない。
【００６１】
図８−１１は、本発明の手動制御を可能にする機構の実施例を表す。この実施例によれば、解放レバー２４は、クリック２６を具備するトグルレバー１０４に繋がれる。
【００６２】
トグルレバー１０４は、接続ロッドの形態を採る。接続ロッドであるトグルレバー１０４は、解放レバー２４の上部表面１０６上に、補助回転軸Ａ８の周囲で回転可能に搭載される。補助回転軸Ａ８は、解放レバー２４の自由端３２に配置される。トグルレバー１０４は、解放レバー２４の本体３０の延長方向に、解放レバー２４の回転軸Ａ２の反対側で、直線状に延びる。
【００６３】
クリック２６は、トグルレバー１０４の自由端１０８で、その軸Ａ１の周囲で補助軸Ａ８の反対側に、回転可能に搭載される。
【００６４】
解放レバー２４との回転結合を行うために、トグルレバー１０４は、底面１１０上に、即ち解放レバー２４の上部表面１０６の反対側に、停止部材１１２を有する。この停止部材１１２が、解放レバー２４の自由端３２に配置された軸方向表面１１４に当たる（図１１）。
【００６５】
好ましくは、スプリング（図示せず）が、トグルレバー１０４を、停止部材１１２が解放レバー２４に当たる方向に、すなわち図８の時計方向に、補助軸Ａ８の周囲に回転させる。
【００６６】
本発明の一実施例によれば、クリック２６は、軸Ａ１に対しつめフィンガ２５の反対側に、駆動アーム１１６を有する。この駆動アーム１１６は、手動制御部材２２により駆動される。
【００６７】
図８は、解放前の初期状態の時鐘打ち機構１４を示す。
【００６８】
手動解放の間、図１０に示すように、手動制御部材２２の駆動レバー８８は、駆動レバー１１６の自由端に当たり、ボール／ソケット・ジョイント（これは補助軸Ａ８の周囲に回転するが）を、解放レバー２４に対し曲げ、クリック２６がツメ・ホイール２８を回転駆動する。かくして、解放レバー２４は、初期の巻上げ位置に留まる。
【００６９】
駆動レバー８８にかかる力が解放されると、トグルレバー１０４は、補助軸Ａ８を中心に初期状態に戻る方向に回転する（図８）。トグルレバー１０４の回転は、解放レバー２４に当たる停止部材１１２により、停止する。
【００７０】
自動解放の間、図９に示すように、解放レバー２４は、軸Ａ２を中心に、トグルレバー１０４で、ツメ・ホイール２８の方向に回転する。停止部材１１２が軸方向表面１１４に当たるので、トグルレバー１０４は、解放レバー２４と共に回転し、その結果、クリック２６は、ツメ・ホイール２８とかみ合う。
【００７１】
本発明のこの実施例は、上記の従来技術の時鐘打ち機構を含むあらゆる種類の時鐘打ち機構１４で実行可能である。その利点は、１個のクリック２６を自動解放と手動解放の両方に利用できる点にある。これに対し、従来の時鐘打ち機構は、自動解放用の解放レバーにより制御される第１クリックと、手動解放用の手動制御部材により制御される第２クリックとを具備しなければならない。
【００７２】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００７３】
【図１】本発明のリピータ時計の主要構成部品を表すブロック図。
【図２】解放直前の初期状態の図１の時計の時鐘打ち機構の主要部品を表す斜視図。
【図３】解放直前の初期状態の図２の時鐘打ち機構の底面図。
【図４】解放直前の初期状態の図２の時鐘打ち機構の上面図。
【図５】解放直後の中間状態の図２の時鐘打ち機構を表す図４に類似する図。
【図６】解放直後の中間状態の図２の時鐘打ち機構を表す図４に類似する図。
【図７】解放後の最終状態の図２の時鐘打ち機構を表す図４に類似する図。
【図８】本発明の時鐘打ち機構の変形例を表し、クリックがボール／ソケットのジョイントにより具備されるつめ付き車とかみ合った状態を表す上面図。
【図９】自動解放の間の変形例を表す図８に類似する図。
【図１０】手動解放の間の変形例を表す図８に類似する図。
【図１１】トグルレバーと時鐘打ち機構の解放レバーと接続するその停止部材底部を示す詳細斜視図。
【符号の説明】
【００７４】
１０  時計
１２  時計ムーブメント
１４  時鐘打ち機構
１６  解放カム
１８  日の裏装置
２０  解放部材
２１  時鐘打ち輪列
２２  手動制御部材
２４  解放レバー
２５  つめフィンガ
２６  クリック
２７  歯列
２８  ツメ・ホイール
３０  本体
３２  自由端
３３  星形部材
３４  巻き上げカム
３６  肩部
３８  復帰バネ
４０  巻き上げアーム
４２  ロック装置
４４  外周エッジ
４６  段差
４８  回転板
５０  フック装置
５２  中間車
５４  レバー
５６  駆動フック
５８  ラチェット歯車
６０  ロック用アーム
６２  ロック用フック
６３  制御アーム
６４  フック用バネ
６６  板バネ
６８  固定端
７０  自由端
７２  ローラ
７４  ノッチ
７６  外周エッジ
７８  解放レバー
８０  復帰バネ
８１  支持表面
８３  ピン
８２，８４  中間車
８６  駆動車
８８  駆動レバー
９０  解放フィンガ
９２  スタッド
９４  消音機構
９６  消音レバー
９８  ロック・フィンガ
１００  駆動フィンガ
１０２  表面
１０４  トグルレバー
１０６  上部表面
１０８  自由端
１１０  底面
１１２  停止部材
１１４  軸方向表面
１１６  駆動アーム
【図１】
2007163490.tif 000003
【図２】
2007163490.tif 000004
【図３】
2007163490.tif 000005
【図４】
2007163490.tif 000006
【図５】
2007163490.tif 000007
【図６】
2007163490.tif 000008
【図７】
2007163490.tif 000009
【図８】
2007163490.tif 000010
【図９】
2007163490.tif 000011
【図１０】
2007163490.tif 000012
【図１１】
2007163490.tif 000013
【外国語明細書】
2007163490000001.pdf